(57)【特許請求の範囲】
【請求項１】
汚泥掻寄用フライトの駆動と連動するスカム掻寄用プレートによりスカムスキマを傾動させるようにした往復動式チェンレス汚泥掻寄機において、スカムスキマの水面上方に配設する傾動装置を、スカム掻寄用プレートの駆動力により、水面に浮遊するスカム量を検出するセンサーにて検出したスカム量に応じてオン、オフするクラッチ機構を介して選択的に伝達してスカムスキマを傾動させるように構成したことを特徴とする汚泥掻寄機におけるスカムスキマの傾動装置。
【請求項２】
傾動装置を、スカム掻寄用プレートの駆動力を伝達するようにした駆動力伝達ロッドと、スカムスキマを傾動させるようにした傾動ロッドとをクラッチ機構を介して連結するようにしたことを特徴とする請求項１記載の汚泥掻寄機におけるスカムスキマの傾動装置。
【請求項３】
駆動力伝達ロッドと傾動ロッドの端部を、クラッチ機構を備えた駆動軸に突設したリンクに枢着したことを特徴とする請求項２記載の汚泥掻寄機におけるスカムスキマの傾動装置。
【発明の詳細な説明】
【技術分野】
【０００１】
本発明は、汚泥掻寄機におけるスカムスキマの傾動装置に関し、特に、沈殿池、沈砂池等（以下、「沈殿池」という。）に配設する汚泥掻寄機の駆動により、スカム排出用のスカムスキマを必要に応じて連動させて傾動し、これによりスカム水の過剰排水を未然に防いで、掻き寄せスカムの排出を効率的に行うようにした汚泥掻寄機におけるスカムスキマの傾動装置に関するものである。
【背景技術】
【０００２】
従来、下水処理場等の沈殿池においては、池底に沈殿する汚砂、汚泥等を掻き寄せ、沈殿池外へ排出するために、池底に沿ってフライトを移動するようにした汚泥掻寄機が設置されている。
この汚泥掻寄機としては、池底に沿うようエンドレスに張架したエンドレスチェンに、所定間隔に複数の汚泥掻寄用フライトを取り付けて構成するエンドレスチェン式汚泥掻寄機、池底に沿ってある距離を蠕動運動にて往復動するようにした汚泥掻寄ロッドに所定間隔に汚泥掻寄用フライトを取り付けて構成する往復動式チェンレス汚泥掻寄機等がある。
【０００３】
この往復動式チェンレス汚泥掻寄機においては、汚泥掻寄用フライトの駆動と連動して水面位置で往復動するようにしたスカム掻寄用プレートを配設し、これにより水面に浮遊するスカムを掻き寄せ、スカムスキマより排出するようにしている。
また、このスカムスキマは、水面位置に傾動可能に配設し、池底に沿って移動するフライトの駆動力を利用して傾動するようにし、このスカムスキマの傾動により水面位置に浮遊するスカムを、該スカムスキマにて呑み込み池外へ排出するようにしている。
【０００４】
しかしながら、チェンを使用しない往復動式チェンレス汚泥掻寄機は、短時間、特に限定されるものではないが、例えば、約６分で汚泥掻寄サイクルを繰り返すようになっているので、これに連動してスカムスキマも約６分という短い時間で傾動動作を繰り返すものとなっている。
【０００５】
したがって、汚泥掻寄用フライトが駆動されると水面に浮遊するスカム量に関係なく、汚泥掻寄用フライトの駆動と連動してスカムスキマも作動するので、比較的短時間で傾動し、このためスカム水の排出が過剰となり、さらにはこの過剰スカム水の排出は、これを排出するためのスカム移送ポンプの運転頻度も高くなるという問題があった。
【発明の開示】
【発明が解決しようとする課題】
【０００６】
本発明は、汚泥掻寄機におけるスカムスキマの有する問題点に鑑み、往復動式チェンレス汚泥掻寄機において短時間内で汚泥掻寄サイクルを繰り返しても、これに連動するスカムスキマの傾動動作サイクルを任意に、かつ簡易に設定できるようにして過剰スカム水の排出を防止するとともに、スカム移送ポンプの運転頻度を低下させるようにした汚泥掻寄機におけるスカムスキマの傾動装置を提供することを目的とする。
【課題を解決するための手段】
【０００７】
上記目的を達成するため、本発明の汚泥掻寄機におけるスカムスキマの傾動装置は、汚泥掻寄用フライトの駆動と連動するスカム掻寄用プレートによりスカムスキマを傾動させるようにした往復動式チェンレス汚泥掻寄機において、スカムスキマの水面上方に配設する傾動装置を、スカム掻寄用プレートの駆動力により、水面に浮遊するスカム量を検出するセンサーにて検出したスカム量に応じてオン、オフするクラッチ機構を介して選択的に伝達してスカムスキマを傾動させるように構成したことを特徴とする。
【０００８】
この場合において、傾動装置を、スカム掻寄用プレートの駆動力を伝達するようにした駆動力伝達ロッドと、スカムスキマを傾動させるようにした傾動ロッドとをクラッチ機構を介して連結するようにすることができる。
【０００９】
また、駆動力伝達ロッドと傾動ロッドの端部を、クラッチ機構を備えた駆動軸に突設したリンクに枢着することができる。
【発明の効果】
【００１０】
本発明の汚泥掻寄機におけるスカムスキマの傾動装置によれば、汚泥掻寄機による汚泥掻寄サイクルが短時間で繰り返しても、この駆動力を水面に浮遊するスカム量を検出するセンサーにて検出したスカム量に応じて選択的にオン、オフするクラッチ機構を介してスカムスキマ側に伝達してこれを必要に応じて傾動させることができるので、スカム水の過剰排水を未然に防止することができるとともに、このスカム排出のためのスカム移送ポンプ運転頻度も低下させることができ、かつ効率的なスカムの排出を行うことができる。
【００１１】
また、傾動装置を、スカム掻寄用プレートの駆動力を伝達するようにした駆動力伝達ロッドと、スカムスキマを傾動させるようにした傾動ロッドとをクラッチ機構を介して連結するようにすることにより、スカム掻寄用プレートの駆動力を確実にスカムスキマ側に伝達でき、確実な動作を行うことができる。
【００１２】
また、駆動力伝達ロッドと傾動ロッドの端部を、クラッチ機構を備えた駆動軸に突設したリンクに枢着することにより、傾動装置の機構をコンパクトに収めることができる。
【発明を実施するための最良の形態】
【００１３】
以下、本発明の汚泥掻寄機におけるスカムスキマの傾動装置の実施の形態を、図面に基づいて説明する。
【００１４】
図１〜図５に、本発明の汚泥掻寄機におけるスカムスキマの傾動装置の一実施例を示す。
下水処理場等の沈殿池Ｔは、特に限定されるものではないが、例えば、図１に示すように、矩形をしており、その一端側に槽底の一部を深くして汚泥ピットＰを形成し、沈殿池Ｔ内に設置する汚泥掻寄機を駆動することにより槽底に沈殿した汚泥を掻き寄せ、この汚泥ピットＰ内に一時的に貯留して池外へ排出するようにしている。
この沈殿池Ｔに採用する汚泥掻寄機は、往復動式チェンレス汚泥掻寄機Ａとし、沈殿池Ｔ内にこの往復動式チェンレス汚泥掻寄機Ａと、掻き寄せスカムを排出するためのスカムスキマＳとを配設する。
【００１５】
この往復動式チェンレス汚泥掻寄機Ａは、槽底長手方向に添って敷設した池底レールＲに導かれて往復移動するように構成する
この往復動式チェンレス汚泥掻寄機Ａは、下方に複数の汚泥掻寄用フライト１を垂設して汚泥を掻き寄せるようにしたフライトビーム２と、該フライトビーム２を吊垂支持するフライトビーム支持ロッド３と、該フライトビーム支持ロッド３の上端に配設した駆動装置４と、前記フライトビーム支持ロッド３に取り付け、水面位置に浮遊するスカムを掻き寄せるためのスカム掻寄用プレート６を突設したスカム掻寄ビーム５とより構成する。
【００１６】
この駆動装置４は、図示省略したが複数本のピンを長円形のループ形に植設してなるピンラックと、該ピンラックに噛合して移動するようにしたピニオンとより構成する。
そして、このピンラックに噛合するピニオンを前記フライトビーム支持ロッド３の上端部に取り付け、これにより駆動装置４の駆動によりピニオンがピンラックに噛合して周回移動する際、往復動式チェンレス汚泥掻寄機Ａを、往復移動と上下運動とを組み合わせた蠕動運動を行うようして槽底に沈殿する汚泥を汚泥ピットＰに掻き寄せるようにする。
このため、ピンラックの全長は、汚泥を掻き寄せるためのフライトビーム２のストロークとなるように設定するとともに、フライトビーム２の前進による汚泥の掻き寄せとき、槽底に添うようフライトビーム２を降下し、またフライトビーム後退時には汚泥掻寄用フライト１が槽底面より少し浮上して沈殿汚泥を反ピット側に掻き寄せないよう上下運動をするようにする。
なお、この汚泥掻寄機の上下運動は、ピンラックの往路側と復路側との間にフライトビームの昇降範囲となるように間隔を設けることにより行う。
【００１７】
また、汚泥掻寄機のフライトビーム支持ロッド３には、フライトビーム２の上方位置で、望ましくは水面近傍の位置にスカム掻寄ビーム５を、前記フライトビーム支持ロッド３と平行するようにして取り付けるとともに、スカムスキマＳを傾動させるためのストライカ７をも取り付ける。
このスカム掻寄ビーム５には複数のスカム掻寄用プレート６を所定の間隔をあけて上方に突出するようにして取り付け、これによりフライトビーム２が後退するとき、水面位置に浮遊するスカムを、汚泥ピットと反対側となる位置で水面位置に配設したスカムスキマ側に掻き寄せるようにする。
【００１８】
スカムスキマＳは、特に限定されるものではないが、例えば、樋形或いは図示のように一部を開口したパイプ形とし、この開口部をスカムの吸込口Ｓａとし、通常はこの吸込口Ｓａを上向きとし、スカムの吸い込み時にはスカムスキマＳを傾動させて水面位置より下方とすることで、水面に浮遊するスカムを吸い込むように、傾動可能に沈殿池Ｔに設置するように構成する。
【００１９】
また、このスカムスキマＳには、図２以下に示すように、スカムスキマＳを傾動させるためのスカムスキマの傾動装置８を水面上方に備える。
このスカムスキマの傾動装置８は、フレームＦに正逆回転可能に支持した駆動軸９に２つのリンク１０及び傾動用リンク１３を突設固定し、一方のリンク１０の先端にスカムスキマを傾動させる駆動力伝達ロッド１１の先端部を係着し、他方の傾動用リンク１３の先端には傾動ロッド１４を係着するとともに、一方のリンク１０の傾動を直接他方の傾動用リンク１３に伝達することなく、駆動軸９に配設したクラッチ機構１２を介して伝達するように構成する。
これにより、スカム掻寄ビーム５が往復運動をする際、スカム掻寄ビーム５の１往復毎にスカム掻寄ビーム５に突設したストライカ７にて蹴り金具１６が蹴られて傾動しても、クラッチ機構１２のオン、オフ作用にて選択的に傾動用リンク１３、傾動ロッド１４側に動力を伝達するようにし、スカムスキマＳを傾動或いは停止状態を保つようにする。
【００２０】
このクラッチ機構１２としては、特に限定されるものではないが、例えば、電磁クラッチを採用することができる。また、クラッチ機構１２のオン、オフ作用は予め定めたタイマーにて行うこともできるが、水面に浮遊するスカム量をセンサーにて検出して行うようにすることもできる。
なお、このスカムスキマＳを傾動させるための駆動力伝達ロッド１１は、上部ロッド１１ａと下部ロッド１１ｂとが屈曲可能に連結して構成するものとし、通常は下部ロッド１１ｂが水平状態となるようにし、この駆動力伝達ロッド１１の先端部、詳しくは下部ロッド１１ｂの先端部を前記スカム掻寄ビーム５に突設するストライカ７にて蹴られるようにする。
これは、沈殿池Ｔ側に固定されたステー１７の先端に下部ロッド１１ｂの先端を係着軸１５にて係着し、この係着軸１５に蹴り金具１６を突設するようにして取り付け、これによりスカム掻寄ビーム５の往復移動にてストライカ７が蹴り金具１６の位置に来たとき、該ストライカ７にて蹴り金具１６を蹴るようにする。これにより蹴り金具１６がストライカ７にて蹴られて傾動するとき、図４（Ｂ）に示すように、係着軸１５に係着した下部ロッド１１ｂを水平状態より傾動するようにする。
【００２１】
次に、本発明の汚泥掻寄機におけるスカムスキマの傾動装置の作用について説明する。
往復動式チェンレス汚泥掻寄機Ａを駆動装置４にて駆動すると、槽底部に配設されるフライトビーム２は往復移動する。このフライトビーム２の前進時、汚泥掻寄用フライト１は降下位置で、池底レールＲに摺接するようになっており、この状態でフライトビーム２が前進すると、槽底に沈殿した汚泥は汚泥ピットＰ側に掻き寄せられる。
また、フライトビーム２の後退時には汚泥掻寄用フライト１は上昇位置の槽底より少し離間した状態となって後退する。これにより沈殿汚泥の掻き戻しを防ぐことができる。
このフライトビーム２の後退時には、フライトビーム２、スカム掻寄ビーム５もともに上昇位置となり、この水面位置まで上昇したスカム掻寄ビーム５に突設するスカム掻寄用プレート６にて水面に浮遊するスカムが反汚泥ピット側のスカムスキマ側に掻き寄せられる。
【００２２】
この動作にて掻き寄せられる浮遊スカムの量が、予め定めた所定量に達するまで、或いはタイマーの設定時間に達するまで、クラッチ機構１２をオフとする。これにより、スカム掻寄ビーム５の移動にてストライカ７にて蹴り金具１６が蹴られても、駆動力伝達ロッド１１は、その下部ロッド１１ｂと上部ロッド１１ａとの連結部で屈曲し、上部ロッド１１ａを押し上げるようになってリンク１０を傾動するものとなる。しかし、このとき、クラッチ機構１２がオフとなっているのでリンク１０は傾動するもその動力は駆動軸９を介して傾動用リンク１３側に伝達されないのでリンク１０だけ傾動し、スカムスキマ傾動用の傾動ロッド１４は傾動しないため、スカムスキマＳを傾動させることはない。
したがって水面に浮遊するスカムをスカムスキマＳにて吸い込まれることはない。
【００２３】
ところが、タイマーアップすると、或いはこのスカム掻寄ビーム５による水面に浮遊するスカムの掻き寄せ量が設定値以上となると、クラッチ機構１２をオンとする。なお、このスカム量の検知は、センサーにて検知して操作するか、或いは手動にて操作するようにする。
これにより、スカム掻寄ビーム５の移動にてストライカ７にて蹴り金具１６を蹴られると、前動作と同じように駆動力伝達ロッド１１は、その下部ロッドと連結する上部ロッドを押し上げるようになって屈曲するようになってリンク１０を傾動するとともに、該リンク１０の傾動はクラッチ機構１２、駆動軸９を介して傾動用リンク１３側に伝達される。この傾動用リンク１３の傾動にて傾動ロッド１４を傾動させるものとなって、図５に示すように、図５（Ｂ）に示す状態からスカムスキマＳを、図５（Ａ）又は（Ｃ）に示すように傾動させるものとなる。
このスカムスキマＳの傾動にてその吸込口Ｓａが水面下になるとスカム水と共に水面に浮遊するスカムもスカムスキマ側に吸い込まれるようになって外部へ排出される。
【００２４】
このように、往復動式チェンレス汚泥掻寄機Ａが短時間、特に限定されるものではないが、例えば、約６分で汚泥掻寄サイクルを繰り返しても、浮遊スカムの吸い込みサイクルは、クラッチ機構１２の選択的なオン、オフ操作によりスカムスキマＳの傾動作動時間を任意に設定でき、スカム水の過剰排出を防止して効率的にスカムの排出を行うことができるとともに、このスカムを排出するためのスカム移送ポンプの運転頻度も低下させることができる。
【００２５】
なお、スカムスキマの傾動方向は、図５に示すように、その吸込口を前方側、すなわち、汚泥ピット側に傾動させることも、後方側、すなわち、反汚泥ピット側に傾動させることも、或いは前方、後方のいずれ方向に傾動させることも、任意に設定することができる。
【００２６】
以上、本発明の汚泥掻寄機におけるスカムスキマの傾動装置について、実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の汚泥掻寄機におけるスカムスキマの傾動装置は、汚泥掻寄機の駆動により、スカム排出用のスカムスキマを必要に応じて連動させて傾動し、これによりスカム水の過剰排水を未然に防いで、掻き寄せスカムの排出を効率的に行うという特性を有していることから、沈殿池に配設する汚泥掻寄機の用途に好適に用いることができる。
【図面の簡単な説明】
【００２８】
【図１】本発明の汚泥掻寄機におけるスカムスキマの傾動装置の一実施例を示す正面縦断面図である。
【図２】スカムスキマの正面縦断面図である。
【図３】スカムスキマの側面図である。
【図４】スカムスキマの傾動駆動部の説明図で、（Ａ）は駆動力伝達ロッド部を示し、（Ｂ）はスカムスキマ傾動用の傾動ロッド部を示す。
【図５】スカムスキマの傾動説明図で、（Ａ）は前傾状態のスカムの吸い込み時を、（Ｂ）はスカムの吸い込み停止時を、（Ｃ）は後傾状態のスカムの吸い込み時をそれぞれ示す。
【符号の説明】
【００２９】
Ａ    往復動式チェンレス汚泥掻寄機
Ｓ    スカムスキマ
Ｔ    沈殿池
１    汚泥掻寄用フライト
２    フライトビーム
３    フライトビーム支持ロッド
４    駆動装置
５    スカム掻寄ビーム
６    スカム掻寄用プレート
７    ストライカ
８    スカムスキマの傾動装置
９    駆動軸
１０  リンク
１１  駆動力伝達ロッド
１２  クラッチ機構
１３  傾動用リンク
１４  スカムスキマ傾動用の傾動ロッド
１５  係着軸
１６  蹴り金具
１７  ステー
【図１】
0004823999.tif 000002
【図２】
0004823999.tif 000003
【図３】
0004823999.tif 000004
【図４】
0004823999.tif 000005
【図５】
0004823999.tif 000006